(57)【要約】      【課題】  弁座部にヒケが生じ難く、かつステムの押下げ操作が円滑な液体吐出ポンプを提供する。【解決手段】  シリンダ内へ上下動自在に嵌合させた筒状ピストン２０上面に上面開口の凹溝２１を周設すると共に、該凹溝の上部内面へ抜出し不能かつ上下動自在に嵌合させたステム３０を前記シリンダ上方へ起立させ、前記ステム下部内から前記筒状ピストン２０を挿通して垂下する垂下筒４１に吸込孔４２を形成すると共に、該垂下筒下端に連通部付き環状弁座４３を設けて、該環状弁座を上方へ弾発付勢させた弁座部材４０を有し、前記環状弁座４３上面に上面開口の嵌合溝４７を設けて、該嵌合溝へ前記筒状ピストン２０の一部を水密に嵌合させると共に、該嵌合溝より内方の弁座部部分下面に下面開口のヒケ防止用溝４８を設けて、該ヒケ防止用溝上面を前記嵌合溝４７下面より上方へ位置させた。【選択図】  図１
2011073759.tif 000002
【特許請求の範囲】
【請求項１】
シリンダ内へ上下動自在に嵌合させた筒状ピストン２０からステム３０を起立させ、該ステム下部内から前記筒状ピストン２０を挿通して垂下する垂下筒４１に吸込孔４２を形成すると共に、該垂下筒下端に連通部付き環状弁座４３を設けて、該環状弁座を上方へ弾発付勢させた弁座部材４０を有する液体吐出ポンプにおいて、
前記環状弁座４３上面に上面開口の嵌合溝４７を設けて、該嵌合溝へ前記筒状ピストン２０の一部を水密に嵌合させると共に、該嵌合溝より内方の環状弁座部分下面に下面開口のヒケ防止用溝４８を設けて、該ヒケ防止用溝上面を前記嵌合溝４７下面より上方へ位置させた
ことを特徴とする液体吐出ポンプ。
【請求項２】
前記筒状ピストン２０下部を内外二重筒２０ａ、２０ｂに形成して、該内筒下部を前記筒状ピストンの一部となし、かつ該内筒下部内面にシール用突条２３を周設して、該突条を前記嵌合溝４７内面へ水密に圧接させると共に、該シール用突条２３の圧接位置より上方へ前記ヒケ防止用溝４８上面を位置させたことを特徴とする請求項１記載の液体吐出ポンプ。
【請求項３】
前記環状弁座４３は、前記シリンダ内へ上下動自在に嵌合させた嵌合筒部４４と、該嵌合筒部上端に付設した内向きフランジ４５と、該内向きフランジ内周に付設した上方小径のテーパ筒部４６とからなり、前記内向きフランジ４５の外周部に前記嵌合溝４７を、かつ内周部にヒケ防止用溝４８を、それぞれ形成した
ことを特徴とする請求項１又は２記載の液体吐出ポンプ。
【請求項４】
前記シリンダ下端から吸込弁６０を起立させて、該吸込弁を前記テーパ筒部４６へ水密かつ上下動自在に挿通させたことを特徴とする請求項３記載の液体吐出ポンプ。
【請求項５】
押圧力による前記ステム３０の下降で、該ステム下端が前記筒状ピストン２０上面の凹溝２１内面に形成した段部へ係合して該筒状ピストンを押下げ可能に、かつ前記環状弁座の嵌合溝４７が前記筒状ピストンから離脱し、前記吸込孔４２と前記環状弁座の連通部４９とが連通してシリンダ内液体が吐出可能に設けた
ことを特徴とする請求項１ないし４のいずれか１項記載の液体吐出ポンプ。
【請求項６】
前記ステム３０への押圧力解除で、前記環状弁座４３が弾発付勢力で上昇して前記ステムを前記凹溝２１の段部から離間させると共に、前記嵌合溝４７が前記筒状ピストンへ嵌合して前記吸込孔４２と連通部４９との連通を遮断可能に設けたことを特徴とする請求項５記載の液体吐出ポンプ。
【発明の詳細な説明】
【技術分野】
【０００１】
本発明は液体吐出ポンプに関する。
【背景技術】
【０００２】
シリンダ内へ筒状ピストンと弁座部とを上下動自在に嵌合させると共に、筒状ピストンから吸込孔付きステムを起立させ、かつ筒状ピストンの下端一部を弁部とすると共に、該弁部が嵌合可能な嵌合溝を弁座部に設けて、これら弁部と嵌合溝とで開閉弁を構成させ、ステムの所定距離の下降で、弁座部が筒状ピストンから離脱すると共に筒状ピストンが押下げられることで、ステム内とシリンダ内とが連通してシリンダ内液体が吐出可能に設け、さらにシリンダ下端から吸込弁を起立させて、吸込弁を弁座部の中央孔へ水密かつ上下動自在に挿通させた合成樹脂製の液体吐出ポンプが従来技術として知られている。
【先行技術文献】
【特許文献】
【０００３】
【特許文献１】実開平０５−０２４５６９号公報
【発明の概要】
【発明が解決しようとする課題】
【０００４】
しかしながら、従来技術は、筒状ピストンの弁部が、嵌合溝を介して接触するところの弁座部のシール部部分の肉厚が大きく、したがって成形時、当該シール部部分にヒケが生じ易く、これが原因で嵌合溝の幅に寸法のばらつきが発生すると、弁座部の嵌合溝と筒状ピストンの弁部とにシール不良が生じるおそれがあり、吸込み工程時や製品の流通時に、シリンダ内液体が弁部と嵌合溝とのシール部およびステムを介してノズルから漏洩するという不具合が生じるため、これを防止すべく弁座部の寸法管理が厳しく行われていた。また弁座部の中央孔へ棒状の吸込弁を上下動自在に挿通させたものでは、吸込弁に対する弁座部の摺動抵抗をできるだけ小さくしてステムの押下げ操作を円滑にすべく弁座部の材質として柔軟性を有するものを選定する必要があることから材料選定の自由度が小さいものとなっていた。
【０００５】
本発明は、上記課題を解決するためになされたもので、環状弁座にヒケが生じ難く、かつステムの押下げ操作が円滑な液体吐出ポンプを提供することを目的とする。
【課題を解決するための手段】
【０００６】
上記課題を解決するために、本発明は、シリンダ内へ上下動自在に嵌合させた筒状ピストン２０からステム３０を起立させ、該ステム下部内から前記筒状ピストン２０を挿通して垂下する垂下筒４１に吸込孔４２を形成すると共に、該垂下筒下端に連通部付き環状弁座４３を設けて、該環状弁座を上方へ弾発付勢させた弁座部材４０を有する液体吐出ポンプにおいて、
前記環状弁座４３上面に上面開口の嵌合溝４７を設けて、該嵌合溝へ前記筒状ピストン２０の一部を水密に嵌合させると共に、該嵌合溝より内方の環状弁座部分下面に下面開口のヒケ防止用溝４８を設けて、該ヒケ防止用溝上面を前記嵌合溝４７下面より上方へ位置させたことを特徴とする。
【０００７】
また、本発明は、前記筒状ピストン２０下部を内外二重筒２０ａ、２０ｂに形成して、該内筒下部を前記筒状ピストンの一部となし、かつ該内筒下部内面にシール用突条２３を周設して、該突条を前記嵌合溝４７内面へ水密に圧接させると共に、該突条シール用突条２３の圧接位置より上方へ前記ヒケ防止用溝４８上面を位置させたことを特徴とする。
【０００８】
さらに、本発明は、前記環状弁座４３は、前記シリンダ内へ上下動自在に嵌合させた嵌合筒部４４と、該嵌合筒部上端に付設した内向きフランジ４５と、該内向きフランジ内周に付設した上方小径のテーパ筒部４６とからなり、前記内向きフランジ４５の外周部に前記嵌合溝４７を、かつ内周部にヒケ防止用溝４８を、それぞれ形成したことを特徴とする。
【０００９】
さらに、本発明は、前記シリンダ下端から吸込弁６０を起立させて、該吸込弁を前記テーパ筒部４６へ水密かつ上下動自在に挿通させたことを特徴とする。
【００１０】
さらに、本発明は、押圧力による前記ステム３０の下降で、該ステム下端が前記筒状ピストン２０上面の凹溝２１内面に形成した段部へ係合して該筒状ピストンを押下げ可能に、かつ前記環状弁座の嵌合溝４７が前記筒状ピストンから離脱し、前記吸込孔４２と前記環状弁座の連通部４９とが連通してシリンダ内液体が吐出可能に設けたことを特徴とする。
【００１１】
さらに、本発明は、前記ステム３０への押圧力解除で、前記環状弁座４３が弾発付勢力で上昇して前記ステムを前記凹溝２１の段部から離間させると共に、前記嵌合溝４７が前記筒状ピストンへ嵌合して前記吸込孔４２と連通部４９との連通を遮断可能に設けたことを特徴とする。
【発明の効果】
【００１２】
本発明は、嵌合溝より内方の環状弁座部分にヒケ防止用溝を設けて、該ヒケ防止用溝上面を嵌合溝下面より上方へ位置させたので、環状弁座にヒケが発生することが防止され、この結果嵌合溝内面の変形が防止されて嵌合溝の幅に寸法のばらつきが生ずることが抑制されるため、環状弁座の嵌合溝と筒状ピストンの弁部とにシール不良が生じることがなく、このため環状弁座の寸法管理を柔軟なものとすることができる。
【００１３】
また、本発明は、上記のように環状弁座にヒケ防止用溝を設けたので、シリンダ下端から吸込弁６０を起立させて、該吸込弁を環状弁座のテーパ筒部４６へ水密かつ上下動自在に挿通させた場合には、テーパ筒部４６が弾性変形容易となるため、吸込弁に対する環状弁座の摺動抵抗が減少してステムの押下げ操作が円滑となり、このため環状弁座の材質として必ずしも柔軟性を主眼とする必要がないことから、環状弁座の材料選定の自由度が増大する。
【図面の簡単な説明】
【００１４】
【図１】本発明に係る液体吐出ポンプの断面図である。
【図２】要部拡大断面図である。
【図３】吐出動作初期の状態を示す作用説明図である。
【図４】吐出動作終了時の状態を示す作用説明図である。
【図５】吸込開始の状態を示す作用説明図である。
【発明を実施するための形態】
【００１５】
以下、本発明の実施の形態について、図面を参照しながら詳細に説明する。
【００１６】
１はシリンダで、パッキンを介して容器体の口頸部２上端へ載置させた外向きフランジ３内周から周壁４を垂下して、周壁４の下端部を下方小径のテーパ筒部５に形成すると共に、テーパ筒部５の上端部内面に上向き段部６を形成し、また周壁４下面を閉塞する底壁７の中央部に吸込孔８を形成すると共に、周壁４下端部に複数の突条９を縦設して、突条下面を後述する吸込弁の弁座９ａとなし、さらに吸込孔８周縁から吸上げパイプ嵌合筒１０を垂下させている。
【００１７】
２０は筒状ピストンで、シリンダ１内へ上下動自在に嵌合されていて、その上面には上面開口の凹溝２１を周設し、かつ該凹溝より内方の筒状ピストン部分は外方の筒状ピストン部分より高く形成させている。また筒状ピストン下部を内外二重筒２０ａ、２０ｂに形成して、内筒２０ａ下端部内面にシール用突条２３を周設して、該突条を後述の嵌合溝内面へ水密に圧接させている。
【００１８】
３０はステムで、筒状ピストン２０の上端部へ上下動自在に嵌合させた大内径部３０ａ上端からテーパ部を介して小内径部３０ｂを起立する。
【００１９】
４０は弁座部材で、ステム３０下部内へ上部を嵌着させて垂下する垂下筒４１を筒状ピストン２０内へ挿通させると共に、垂下筒４１下方部に吸込孔４２を形成し、さらに垂下筒４１下端に環状弁座４３を備えている。
【００２０】
環状弁座４３は、シリンダ１内へ嵌合筒部４４を上下動自在に嵌合させ、該嵌合筒部上端に内向きフランジ４５を付設すると共に、該内向きフランジ４５内周に上方小径のテーパ筒部４６を形成させ、さらに内向きフランジ４５の外周部上面に上面開口の嵌合溝４７を、かつ内周部下面に下面開口のヒケ防止用溝４８を、それぞれ形成すると共に、内向きフランジ内周部上面に垂下筒４１を起立させている。
【００２１】
ヒケ防止用溝４８上面は嵌合溝４７下面より上方、好ましくは嵌合溝４７内面に対するシール用突条２３の圧接位置よりも上方へ位置させる。なお、嵌合筒部４４の外周部には周方向に所定の間隔をおいて連通部としての複数の連通溝４９を縦設する。また環状弁座４３は、下端を上向き段部６へ、上端を内向きフランジ４５下面へ、それぞれ当接させたコイルスプリング５０で上方へ弾発付勢させる。
【００２２】
６０は吸込弁で、突条９下面が構成する弁座９ａ内へ下端部を上下動自在に嵌合させた筒弁部６１の上面から棒状部６２を起立させ、かつ該棒状部６２の上部を環状弁座４３のテーパ筒部４６内へ上下動自在に嵌合させている。
【００２３】
７０はステム抜止め筒で、シリンダ１の外向きフランジ３へ載置させた鍔部内周へ貫設させた下方大径の嵌合筒７１下端を筒状ピストン２０上端へ当接させている。
【００２４】
８０は装着筒で、容器体口頸部２外面へ螺合させた周壁８１上端から内向きフランジを介して案内筒８２を起立させている。
【００２５】
９０はノズルヘッドで、頂壁９１から内外二重筒９２、９３を垂下して、内筒９２をステム３０上部へ嵌合させると共に、外筒９３を案内筒８２へ遊嵌させ、さらに内外筒へノズル９４を貫設させてステム３０へ連通させている。
【００２６】
１００は吸上げパイプで、吸上げパイプ嵌合筒１０へ上部を嵌合させて容器体内へ垂下する。
【００２７】
次に作用について説明する。
ノズルヘッド９０を押下げると、図３および図４に示すようにステム３０と共に環状弁座４３が下降して筒状ピストン２０から下方へ離間する一方、ステム３０は筒状ピストン２０の凹溝２１内面に形成した段部へ当接して筒状ピストン２０を押下げる。するとシリンダ内液体が加圧されて連通部４９および吸込孔４２を介してステム３０内へ流入しノズル９４から吐出される。
【００２８】
ノズルヘッド９０の押下げを解除すると、図５および図２右半部に示すように環状弁座４３がコイルスプリング５０の付勢力で上昇し、これと共にステム３０も上昇して筒状ピストン２０の凹溝２１内面に形成した段部から離脱する一方、環状弁座４３の嵌合溝４７内へ筒状ピストン２０の内筒２０ａ下端が嵌合してシール用突条２３が嵌合溝４７の内面へ水密に圧接して連通部４９と吸込孔４２との連通を遮断する。
【００２９】
上記のように環状弁座４３にはヒケ防止用溝４８が形成されているから、嵌合溝４７の内壁にはヒケが生じ難く、したがってシール用突条２３と嵌合溝４７との間にシール不良が生じるおそれがなく、またヒケ防止用溝４８を形成することでテーパ筒部４６が弾性変形し易く、このため吸込弁６０に対するテーパ筒部４６の摺動が円滑であり、したがってノズルヘッド９０の押下げ操作が円滑に行える。
【産業上の利用可能性】
【００３０】
本発明は、液体吐出ポンプを備えた容器の分野に利用することができる。
【符号の説明】
【００３１】
２０  筒状ピストン
２０ａ、２０ｂ  内外二重筒
２１  凹溝
２３  シール用突条
３０  ステム
４０  弁座部材
４１  垂下筒
４２  吸込孔
４３  環状弁座
４４  嵌合筒部
４５  内向きフランジ
４６  テーパ筒部
４７  嵌合溝
４８  ヒケ防止用溝
４９  連通溝(連通部)
６０  吸込弁
【図１】
2011073759.tif 000003
【図２】
2011073759.tif 000004
【図３】
2011073759.tif 000005
【図４】
2011073759.tif 000006
【図５】
2011073759.tif 000007